(57)【特許請求の範囲】
【請求項１】
筒状の口部と前記口部に連なるとともに皮膚塗布用の粘性を有する内容物の収容空間を区画する胴部とを有する容器本体と、
前記口部に取り付けられるキャップと、を備え、
前記キャップは、皮膚と対向するように配置される環状の先端面を有するとともに前記収容空間に連通する流路を区画するノズル部を有し、
前記ノズル部は、前記口部の中心軸線に沿って前記胴部から前記口部に向かう方向を上方としたときに、内周面の下方部分が縮径した２段円筒状の周壁によって構成され、前記周壁の先端面によって前記ノズル部の前記先端面が構成され、
前記ノズル部の前記先端面は、皮膚に押し付けられることにより、前記内容物を皮膚に沿う方向に放射方向に吐出する３つ以上の吐出口を皮膚との間に形成し、
前記ノズル部の前記先端面の全体が、前記ノズル部の外周に亘って皮膚に向かう方向の高さが滑らかに変化する波形状をなす、吐出容器。
【請求項２】
前記キャップは、前記ノズル部を第１ノズル部としたときに、前記収容空間に連通する流路を区画するとともに前記内容物を単一の吐出口から吐出する第２ノズル部を有する、請求項１に記載の吐出容器。
【請求項３】
前記キャップは、
前記口部に取り付けられるとともに前記第２ノズル部を有するベースと、
前記ベースに第１ヒンジを介して回動可能に連結されるとともに前記第２ノズル部を開閉し、且つ、前記第１ノズル部を有する中蓋と、
前記中蓋に第２ヒンジを介して回動可能に連結されるとともに前記第１ノズル部を開閉する外蓋と、を備える、
請求項２に記載の吐出容器。
【発明の詳細な説明】
【技術分野】
【０００１】
本発明は、吐出容器に関する。
【背景技術】
【０００２】
筒状の口部と皮膚塗布用の粘性を有する内容物（例えば、ハンドクリーム等の化粧料、又は皮膚外用剤）の収容空間を区画する胴部とを有する容器本体と、口部に取り付けられるキャップと、を備える吐出容器が知られている。このような吐出容器のキャップは、通常、例えば特許文献１に記載されるように、内容物を単一の吐出口から吐出するノズル部を備えている。
【先行技術文献】
【特許文献】
【０００３】
【特許文献１】特開２００１−１５８４４８号公報
【発明の概要】
【発明が解決しようとする課題】
【０００４】
しかし、特許文献１に記載されるような従来の吐出容器を用いる場合には、ノズル部から吐出した内容物が皮膚上の１箇所に集中して付着するため、薄く塗り広げ難い場合がある。
【０００５】
本発明はこのような点に鑑みてなされたもので、その目的は、塗り広げ易いように内容物を皮膚に付着させることができる吐出容器を提供することにある。
【課題を解決するための手段】
【０００６】
本発明の一態様に係る吐出容器は、
筒状の口部と前記口部に連なるとともに皮膚塗布用の粘性を有する内容物の収容空間を区画する胴部とを有する容器本体と、
前記口部に取り付けられるキャップと、を備え、
前記キャップは、皮膚と対向するように配置される環状の先端面を有するとともに前記収容空間に連通する流路を区画するノズル部を有し、
前記ノズル部は、前記口部の中心軸線に沿って前記胴部から前記口部に向かう方向を上方としたときに、内周面の下方部分が縮径した２段円筒状の周壁によって構成され、前記周壁の先端面によって前記ノズル部の前記先端面が構成され、
前記ノズル部の前記先端面は、皮膚に押し付けられることにより、前記内容物を皮膚に沿う方向に放射方向に吐出する３つ以上の吐出口を皮膚との間に形成し、
前記ノズル部の前記先端面の全体が、前記ノズル部の外周に亘って皮膚に向かう方向の高さが滑らかに変化する波形状をなす。
【０００９】
本発明に係る吐出容器は、前記キャップが、前記ノズル部を第１ノズル部としたときに、前記収容空間に連通する流路を区画するとともに前記内容物を単一の吐出口から吐出する第２ノズル部を有してもよい。
【００１０】
本発明に係る吐出容器は、
前記キャップが、
前記口部に取り付けられるとともに前記第２ノズル部を有するベースと、
前記ベースに第１ヒンジを介して回動可能に連結されるとともに前記第２ノズル部を開閉し、且つ、前記第１ノズル部を有する中蓋と、
前記中蓋に第２ヒンジを介して回動可能に連結されるとともに前記第１ノズル部を開閉する外蓋と、を備えてもよい。
【発明の効果】
【００１１】
本発明によれば、塗り広げ易いように内容物を皮膚に付着させることができる吐出容器を提供することができる。
【図面の簡単な説明】
【００１２】
【図１】本発明の第１実施形態に係る吐出容器を示す一部断面側面図である。
【図２】図１に示す吐出容器の使用状態を示す一部断面側面図である。
【図３】（ａ）は、図１に示すノズル部の上面図である。（ｂ）は、図１に示すノズル部からの吐出によって皮膚に付着した内容物の形状を示す平面図である。
【図４】本発明の第２実施形態に係る吐出容器を示す一部断面側面図である。
【図５】図４に示す吐出容器の上面図である。
【図６】図４に示す吐出容器の、第１ノズル部による使用状態を示す一部断面側面図である。
【図７】図４に示す吐出容器の、第２ノズル部による使用状態を示す一部断面側面図である。
【発明を実施するための形態】
【００１３】
以下、図面を参照して、本発明の実施形態に係る吐出容器について詳細に例示説明する。まず、図１〜図３を参照して、本発明の第１実施形態に係る吐出容器１Ａについて詳細に例示説明する。なお、本明細書において、上下方向とは、容器本体２の口部２ａの中心軸線Ｏに沿う方向を意味する。また、上方とは、容器本体２の胴部２ｂから口部２ａに向かう方向（例えば図１における上方）を意味し、下方とは、その反対方向を意味する。
【００１４】
図１に示すように、本実施形態に係る吐出容器１Ａは、口部２ａと口部２ａに連なる胴部２ｂとを有する容器本体２と、口部２ａに取り付けられるキャップ３と、を備えている。容器本体２は、本実施形態では、胴部２ｂの端部（下端）が扁平形状をなして閉塞したチューブ状をなしている。したがって、本実施形態では、吐出容器１Ａは、チューブ容器として構成されている。しかし、容器本体２は、このようなチューブ状のものに限られず、例えば、胴部２ｂの端部（下端）が扁平でないボトル状のものであってもよい。
【００１５】
口部２ａは、本実施形態では中心軸線Ｏを中心とする円筒状をなしている。しかし、口部２ａは、円筒状以外の筒状をなしていてもよい。口部２ａの外周面には、キャップ３を取り付けるための雄ねじ部４が設けられている。また、口部２ａの外周面における下端には、キャップ３に設けられた位置決め片１２と係合することでキャップ３の取り付け位置を規定する位置決め係合部５が設けられている。また、雄ねじ部４には、キャップ３の雌ねじ部７に設けられた係合リブ９と係合する係合凸部（図示省略）が設けられている。しかし、キャップ３は、このような螺合に替えて、凹凸形状による嵌合を介して口部２ａに取り付けられるように構成されてもよい。
【００１６】
胴部２ｂは、口部２ａより拡径するとともに口部２ａの中心軸線Ｏに沿って長尺状に延在し、その下端が扁平形状をなして閉塞している。また、胴部２ｂは、皮膚塗布用の粘性を有する内容物Ｃ（図２参照）の収容空間Ｓを区画している。内容物Ｃは、例えば、ハンドクリーム等の化粧料、又は皮膚外用剤であってよい。胴部２ｂは、外側から押圧操作を受けることにより、収容空間Ｓの容積が減少するように収縮変形することができる。なお、胴部２ｂの形状は、適宜変更が可能である。容器本体２は、例えば合成樹脂製であってよく、単一の部材又は複数の部材によって構成することができる。
【００１７】
本実施形態では、キャップ３は、口部２ａに取り付けられるとともにノズル部６を有するキャップ本体３ａと、キャップ本体３ａにヒンジ３ｂを介して回動可能に連結されるとともにノズル部６を開閉する蓋３ｃと、を備えている。キャップ本体３ａは、口部２ａの雄ねじ部４と螺合する雌ねじ部７を有する取り付け筒８を有している。雌ねじ部７には、係合リブ９が設けられている。取り付け筒８の上端は、口部２ａの上端に密接する環板状の天壁１０が連結している。天壁１０の外周縁からは、筒状の外周壁１１が垂下している。外周壁１１と取り付け筒８との間には、位置決め片１２が設けられている。天壁１０の内周縁には、ノズル部６が連結している。
【００１８】
蓋３ｃは、閉蓋状態において天壁１０と離間して対向する上壁１３と、閉蓋状態において上壁１３の外周縁から垂下する筒状の外壁１４と、閉蓋状態において上壁１３から垂下してノズル部６の外周に密着する封止筒１５と、を有している。閉蓋状態において外壁１４におけるヒンジ３ｂの反対側部分の上端に位置する部分には、蓋３ｃを開閉するための摘み１６が設けられている。なお、蓋３ｃは、本実施形態ではヒンジ３ｂによってキャップ本体３ａに連結されているが、キャップ本体３ａに着脱可能に設けられてもよい。
【００１９】
ノズル部６は、図２に示すように、蓋３ｃの開蓋状態において皮膚Ｘ（例えば、手の甲、又は手の平など）と対向するように配置される環状の先端面６ａを有するとともに、収容空間Ｓに連通する流路Ｒを区画するように構成されている。また、ノズル部６の先端面６ａは、皮膚Ｘに押し付けられることにより、内容物Ｃを皮膚Ｘに沿う方向に吐出する複数の吐出口１７を皮膚Ｘとの間に形成するように構成されている。ノズル部６の先端面６ａは、本実施形態では６つの吐出口１７を形成するように構成されているが、吐出口１７の数は２つ以上であればよく、適宜増減が可能である。しかし、ノズル部６の先端面６ａは、皮膚Ｘに押し付けられることにより、内容物Ｃを放射方向に吐出する３つ以上の吐出口１７を皮膚Ｘとの間に形成するように構成されることが好ましい。
【００２０】
複数の吐出口１７の大きさは、皮膚Ｘへの押し付け力に応じて変化する。すなわち、図２では、先端面６ａが皮膚Ｘに接触するものの皮膚Ｘに沈み込んでいないが、更なる押し付け力の付与により、その押し付け力の大きさに応じて先端面６ａが皮膚Ｘに沈み込むことになる。そして、複数の吐出口１７の大きさは、先端面６ａが皮膚Ｘに沈み込むほど小さくなる。
【００２１】
ノズル部６の先端面６ａは、ノズル部６の外周に亘って皮膚Ｘに向かう方向の高さが変化する凹凸形状をなしている。より具体的には、ノズル部６の先端面６ａは、ノズル部６の外周に亘って皮膚Ｘに向かう方向の高さが滑らかに変化する波形状をなしている。ノズル部６の先端面６ａは、波形状をなしていることにより、皮膚Ｘへの押し付け力に応じて複数の吐出口１７の大きさを容易に変化させることができる。また、ノズル部６の先端面６ａは、波形状をなしていることにより、皮膚Ｘに押し付けられる鋭角部が存在しないため、痛さを感じさせることもない。しかし、ノズル部６の先端面６ａは、波形状以外の凹凸形状をなしていてもよい。
【００２２】
また、ノズル部６の先端面６ａは、特に図３（ａ）に示すように、ノズル部６の外周に亘って間欠的に配置された複数の第１部分１８と、ノズル部６の外周に亘って第１部分１８と交互に配置された複数の第２部分１９と、を有している。複数の第１部分１８の各々は、皮膚Ｘに向かう方向の高さが最も高い第１高さを有する部分を含んでいる。複数の第２部分１９の各々は、皮膚Ｘに向かう方向の高さが最も低い第２高さを有する部分を含んでいる。ノズル部６の先端面６ａは、ノズル部６の外周に亘って隣り合う第１部分１８と第２部分１９とを連結する複数の移行部分２０をさらに有している。しかし、ノズル部６の先端面６ａは、複数の第１部分１８、複数の第２部分１９及び複数の移行部分２０によって構成される形状に限られない。例えば、ノズル部６の先端面６ａは、複数の第１部分１８、複数の第２部分１９及び複数の移行部分２０によって構成される凹凸形状以外の凹凸形状をなしていてもよい。また、ノズル部６の先端面６ａは、複数の第１部分１８、複数の第２部分１９及び複数の移行部分２０によって構成される波形状以外の波形状をなしていてもよい。なお、図１〜図３（ａ）には、複数の第１部分１８、複数の第２部分１９及び複数の移行部分２０のうちの一部のみに符号を付している。
【００２３】
ノズル部６は、本実施形態では下方部分が縮径した２段円筒状の周壁６ｂによって構成されており、この周壁６ｂの上面によってノズル部６の先端面６ａが構成されている。しかし、ノズル部６の形状はこのような２段円筒状に限られない。
【００２４】
本実施形態に係る吐出容器１Ａによれば、図２に示すように、ノズル部６を皮膚Ｘに垂直に押し付けて容器本体２を押圧操作することにより、複数の吐出口１７から内容物Ｃを皮膚Ｘに沿う複数の方向に吐出することができるため、皮膚Ｘに付着させた内容物Ｃを容易に塗り広げることが可能となる。また、本実施形態に係る吐出容器１Ａによれば、内容物Ｃを放射方向に吐出することができるので、図３（ｂ）に示すように、花びら形状の模様をなすように内容物Ｃを皮膚Ｘに付着させることができ、外観上の効果を得ることもできる。また、皮膚Ｘに対するノズル部６の先端面６ａの押し付け力を加減することにより、複数の吐出口１７の大きさを変化させて、皮膚Ｘに付着させる内容物Ｃの量を容易に調整することもできる。
【００２５】
次に、図４〜図７を参照して、本発明の第２実施形態に係る吐出容器１Ｂについて詳細に例示説明する。図４〜図５に示すように、本実施形態に係る吐出容器１Ｂは、キャップ２１が、第１実施形態におけるノズル部６と同様の構成を有する第１ノズル部６’に加えて、第２ノズル部２２を有している点で第１実施形態の場合と異なる構成となっており、その他の点では第１実施形態の場合と同様の構成となっている。
【００２６】
本実施形態では、キャップ２１は、ベース２１ａと、ベース２１ａに第１ヒンジ２１ｂを介して回動可能に連結された中蓋２１ｃと、中蓋２１ｃに第２ヒンジ２１ｄを介して回動可能に連結された外蓋２１ｅと、を備えている。ベース２１ａは、容器本体２の口部２ａに取り付けられるとともに第２ノズル部２２を有している。中蓋２１ｃは、第１ノズル部６’を有している。また、中蓋２１ｃは、第２ノズル部２２を開閉するように構成されている。外蓋２１ｅは、第１ノズル部６’を開閉するように構成されている。
【００２７】
ベース２１ａは、第１実施形態のキャップ本体３ａと比較すると、ノズル部６が第２ノズル部２２に置換された点以外はキャップ本体３ａと同様の構成となっている。第２ノズル部２２は、図７に示すように、中蓋２１ｃの開蓋状態において、収容空間Ｓに連通する流路Ｒ２を区画するとともに内容物Ｃを単一の吐出口２３から吐出するように構成されている。このように、吐出容器１Ｂは、中蓋２１ｃを開蓋状態とすることにより、従来どおりの通常の吐出が可能である。
【００２８】
中蓋２１ｃは、中蓋２１ｃの閉蓋状態においてベース２１ａの天壁１０と離間して対向するとともに第１ノズル部６’を有する中天壁２４と、中蓋２１ｃの閉蓋状態において中天壁２４の外周縁から垂下する筒状の中外壁２５と、を有している。第１ノズル部６’は、第１実施形態の場合と同様に構成された先端面６ａ及び周壁６ｂを有している。なお、第１ノズル部６’の先端面６ａ及び周壁６ｂは、第１実施形態の場合と同様に種々の変更が可能である。第１ノズル部６’は、中蓋２１ｃの閉蓋状態において周壁６ｂから垂下して第２ノズル部２２の内周に密着するステム６ｃを有している。ステム６ｃは、本実施形態では円筒状をなしているが、円筒状以外の筒状をなしていてもよい。第１ノズル部６’は、周壁６ｂ及びステム６ｃによって収容空間Ｓに連通する流路Ｒ１（図６参照）を区画するように構成されている。中蓋２１ｃの閉蓋状態において中外壁２５における第１ヒンジ２１ｂの反対側部分の下端付近に位置する部分には、中蓋２１ｃを開閉するための摘み２６が設けられている。なお、中蓋２１ｃは、本実施形態では第１ヒンジ２１ｂによってベース２１ａに連結されているが、ベース２１ａに着脱可能に設けられてもよい。
【００２９】
外蓋２１ｅは、中蓋２１ｃ及び外蓋２１ｅの閉蓋状態において中天壁２４と離間して対向する上壁１３’と、中蓋２１ｃ及び外蓋２１ｅの閉蓋状態において上壁１３’の外周縁から垂下する筒状の外壁１４’と、中蓋２１ｃ及び外蓋２１ｅの閉蓋状態において上壁１３’から垂下してノズル部６’の外周に密着する封止筒１５’と、を有している。中蓋２１ｃ及び外蓋２１ｅの閉蓋状態において外壁１４’における第２ヒンジ２１ｄの反対側部分の上端に位置する部分には、外蓋２１ｅを開閉するための摘み１６’が設けられている。なお、外蓋２１ｅは、本実施形態では第２ヒンジ２１ｄによって中蓋２１ｃに連結されているが、中蓋２１ｃに着脱可能に設けられてもよい。中蓋２１ｃ及び外蓋２１ｅの閉蓋状態における上壁１３’の上面には、中蓋２１ｃの摘み２６と係合する（図６参照）ことで外蓋２１ｅの開蓋状態を維持する係合溝２７が設けられている。
【００３０】
本実施形態に係る吐出容器１Ｂによれば、図６に示すように、中蓋２１ｃを閉蓋状態とし、外蓋２１ｅを開蓋状態とすることで、第１実施形態の場合と同様に、複数の吐出口１７により、内容物Ｃを皮膚Ｘに沿う複数の方向に吐出することができるため、皮膚Ｘに付着させた内容物Ｃを容易に塗り広げることが可能となる。また、その他の効果も、第１実施形態の場合と同様である。
【００３１】
前述した本実施形態は、本発明の実施形態の一例にすぎず、発明の要旨を逸脱しない範囲で種々変更可能であることはいうまでもない。
【符号の説明】
【００３２】
１Ａ、１Ｂ  吐出容器
２  容器本体
２ａ  口部
２ｂ  胴部
３  キャップ
３ａ  キャップ本体
３ｂ  ヒンジ
３ｃ  蓋
４  雄ねじ部
５  位置決め係合部
６、６’  ノズル部
６ａ  先端面
６ｂ  周壁
６ｃ  ステム
７  雌ねじ部
８  取り付け筒
９  係合リブ
１０  天壁
１１  外周壁
１２  位置決め片
１３、１３’  上壁
１４、１４’  外壁
１５、１５’  封止筒
１６、１６’  摘み
１７  吐出口
１８  第１部分
１９  第２部分
２０  移行部分
２１  キャップ
２１ａ  ベース
２１ｂ  第１ヒンジ
２１ｃ  中蓋
２１ｄ  第２ヒンジ
２１ｅ  外蓋
２２  第２ノズル部
２３  吐出口
２４  中天壁
２５  中外壁
２６  摘み
２７  係合溝
Ｏ  中心軸線
Ｃ  内容物
Ｓ  収容空間
Ｘ  皮膚
Ｒ、Ｒ１、Ｒ２  流路
【図１】
0006987669.tif 000002
【図２】
0006987669.tif 000003
【図３】
0006987669.tif 000004
【図４】
0006987669.tif 000005
【図５】
0006987669.tif 000006
【図６】
0006987669.tif 000007
【図７】
0006987669.tif 000008